(57)【要約】【課題】ガス台全体を覆うことにより、コンロを使用した料理時の噴きこぼれ等による、載置面の汚染を防止する。【解決手段】左フレーム１１と右フレーム１２とを、伸縮自在な前フレーム１３及び後フレーム１４によって連結し、また、左フレーム１１と右フレーム１２との間に、伸縮自在で前後方向の移動自在な可動フレーム１５を掛け渡す。左ガイド１６と右ガイド１７とによって防汚トレー１８を着脱自在に支持する。コンロの４つの脚部を、前フレーム１３と可動フレーム１５とによって支持する。コンロの大きさが変わった場合でも、コンロの下方全体を、防汚トレー１８で覆うことができる。噴きこぼれ等によって載置面が汚染されるのを防止するとともに、防汚トレー１８の清掃が容易である。【選択図】図１
0003128662.tif 000002
【実用新案登録請求の範囲】
【請求項１】
コンロ台の載置面に設置されて、コンロを載せて使用する防汚器具において、
長手方向を前後方向に向けて左側に配置された左フレームと、
長手方向を前後方向に向けて右側に配置された右フレームと、
前記左フレームと前記右フレームとをそれぞれの前側において連結するとともに、コンロの前側の脚部を支持する伸縮可能な前フレームと、
前記左フレームと前記右フレームとをそれぞれの後側において連結する、伸縮可能な後フレームと、
前記前フレームと前記後フレームとの間において、前記左フレームと前記右フレームとに移動自在に掛け渡されるとともに、コンロの後側の脚部を支持する伸縮可能な可動フレームと、
載置面上に載置されて前記左フレームを載置面から浮き上がらせる左ガイドと、
載置面上に載置されて前記右フレームを載置面から浮き上がらせる右ガイドと、
前記左ガイド及び右ガイドによって前後方向に着脱自在に支持されるとともに、装着位置においてコンロの下方を覆う防汚トレーと、を備える、
ことを特徴とする防汚器具。
【請求項２】
前記左ガイド及び前記右ガイドは、前記防汚トレーを下方から支持する支持部を有し、前記支持部は、左右幅が異なるコンロに対応して前記前フレーム及び後フレームを伸縮した場合でも、前記防汚トレーを下方から支持することができる左右幅に形成されている、
ことを特徴とする請求項１に記載の防汚器具。
【請求項３】
前記支持部は、上方に向けて突設されて、前記防汚トレーの脱落を防止する脱落防止凸部を有し、前記防汚トレーは、前記脱落防止凸部が係合する、前後方向を向けた凹溝を、左右方向に複数有する、
ことを特徴とする請求項１又は２に記載の防汚器具。
【請求項４】
コンロの上面の高さとほぼ一致して、コンロの後端と壁面との間を埋めるバックパネルを備える、
ことを特徴とする請求項１ないし３のいずれか１項に記載の防汚器具。
【請求項５】
前記後フレームは、ガスホースの位置を規制するホースホルダを有する、
ことを特徴とする請求項１ないし４のいずれか１項に記載の防汚器具。
【請求項６】
前記左フレーム及び前記右フレームに配設されたホルダと、前記ホルダによって着脱自在に支持されるとともに、前記左フレーム及び前記右フレームとコンロの下面との間の間隙を埋める水漏れ防止板と、を備える、
ことを特徴とする請求項１ないし５のいずれか１項に記載の防汚器具。
【考案の詳細な説明】
【技術分野】
【０００１】
本考案は、事務所、アパート等において、コンロ台に載置されて、コンロを載せて使用する防汚器具に関する。
【背景技術】
【０００２】
ガス台（コンロ台）の載置面（表面）にガスコンロ（コンロ）を載置し、このガスコンロで料理をすると、やかんから吹き出した湯、味噌汁や煮物から噴きこぼれた汁、飛び散った油や野菜屑など（以下「噴きこぼれ等」という。）が落下して載置面を汚してしまう。この場合、載置面を清掃するには、重いガスコンロを移動させなければならないため、清掃作業は煩雑なものとなる。
【０００３】
特許文献１には、ガスコンロを移動させることなく、噴きこぼれを取り除くことができる防汚器具が提案されている。このものは、載置面とガスコンロとの間に台を入れて、両者間に隙間を設け、この隙間にシートを交換可能に挿入するようにしている。
【特許文献１】特開２００２−３７２２５０号公報
【考案の開示】
【考案が解決しようとする課題】
【０００４】
しかしながら、上述の特許文献１によると、台は、左右方向の幅調整ができないために、大きさの異なるガス台に対して、良好に対応することができないという問題があった。
【０００５】
すなわち、左右方向の幅を大きなコンロに合わせて設定した場合には、設置すること自体が困難である。逆に、台の左右方向の幅を小さなコンロに合わせて設定した場合には、大きなコンロの使用は可能ではあるものの、台に対応してシートも小さくなるため、このシートによって大きなコンロの下面全体を覆うことができず、噴きこぼれ等が載置面に付着するという問題があった。
【０００６】
そこで、本考案は、コンロ（ガスコンロ）の幅が異なる場合でも、噴きこぼれ等が載置面に付着するのを確実に防止し、しかも清掃が容易な防汚器具を提供することを目的とするものである。
【課題を解決するための手段】
【０００７】
請求項１に係る考案は、コンロ台の載置面に設置されて、コンロを載せて使用する防汚器具に関する。この考案に係る防汚器具は、長手方向を前後方向に向けて左側に配置された左フレームと、長手方向を前後方向に向けて右側に配置された右フレームと、前記左フレームと前記右フレームとをそれぞれの前側において連結するとともに、コンロの前側の脚部を支持する伸縮可能な前フレームと、前記左フレームと前記右フレームとをそれぞれの後側において連結する、伸縮可能な後フレームと、前記前フレームと前記後フレームとの間において、前記左フレームと前記右フレームとに移動自在に掛け渡されるとともに、コンロの後側の脚部を支持する伸縮可能な可動フレームと、載置面上に載置されて前記左フレームを載置面から浮き上がらせる左ガイドと、載置面上に載置されて前記右フレームを載置面から浮き上がらせる右ガイドと、前記左ガイド及び右ガイドによって前後方向に着脱自在に支持されるとともに、装着位置においてコンロの下方を覆う防汚トレーと、を備える、ことを特徴としている。
【０００８】
請求項２に係る考案は、請求項１に係る防汚器具において、前記左ガイド及び前記右ガイドは、前記防汚トレーを下方から支持する支持部を有し、前記支持部は、左右幅が異なるコンロに対応して前記前フレーム及び後フレームを伸縮した場合でも、前記防汚トレーを下方から支持することができる左右幅に形成されている、ことを特徴としている。
【０００９】
請求項３に係る考案は、請求項１又は２に係る防汚器具において、前記支持部は、上方に向けて突設されて、前記防汚トレーの脱落を防止する脱落防止凸部を有し、前記防汚トレーは、前記脱落防止凸部が係合する、前後方向を向けた凹溝を、左右方向に複数有する、ことを特徴としている。
【００１０】
請求項４に係る考案は、請求項１ないし３のいずれか１項に係る防汚器具において、コンロの上面の高さとほぼ一致して、コンロの後端と壁面との間を埋めるバックパネルを備える、ことを特徴としている。
【００１１】
請求項５に係る考案は、請求項１ないし４のいずれか１項に係る防汚器具において、前記後フレームは、ガスホースの位置を規制するホースホルダを有する、ことを特徴としている。
【００１２】
請求項６に係る考案は、請求項１ないし５のいずれか１項に係る防汚器具において、前記左フレーム及び前記右フレームに配設されたホルダと、前記ホルダによって着脱自在に支持されるとともに、前記左フレーム及び前記右フレームとコンロの下面との間の間隙を埋める水漏れ防止板と、を備える、ことを特徴としている。
【考案の効果】
【００１３】
請求項１の考案によると、防汚器具は、左フレームと右フレームとを連結している前フレーム及び後フレームが左右方向に伸縮自在であり、また、左フレーム及び右フレームに掛け渡される可動フレームは、左右方向に伸縮自在で、また、前後に移動自在である。つまり、左フレームと右フレームと前フレームと可動フレームとによって構成される４角形は、左右方向及び前後方向に伸縮可能である。したがって、これら４つのフレームによって大きさの異なるコンロの４隅に配置されている脚部を支持することができる。また、左フレーム及び右フレームは、それぞれ左ガイド、右ガイドによって載置面から浮き上がった状態を維持することができ、これら左ガイド及び右ガイドによって着脱自在の防汚トレーを支持することができる。
【００１４】
このように、請求項１の考案によると、異なる大きさのコンロに対して、コンロと載置面との間に、防汚トレーを着脱容易に装着することができるので、防汚トレーが汚れた場合等には、コンロを移動させることなく、簡単に掃除をすることができる。
【００１５】
請求項２の考案によると、左ガイド及び右ガイドは、それぞれの支持部によって、前フレーム及び後フレームを伸縮させた場合でも、防汚トレーを下方から支持することができる。
【００１６】
請求項３の考案によると、左ガイド及び右ガイドの支持部には、脱落防止凸部を設け、防汚トレーには、これに係合する前後方向の凹溝を複数設けたので、左フレーム及び右フレームの伸縮に伴って左ガイドと右ガイドとの間に距離が変更された場合でも、防汚トレーの脱落を防止するとともに、防汚トレーの前後方向の着脱動作を円滑に行うことができる。
【００１７】
請求項４の考案によると、コンロの後端と壁面とを間をバックパネルによって埋めているので、この間に噴きこぼれ等が落下することを防止することができる。また、ガス栓やガスホースの油汚れを防止することができる。
【００１８】
請求項５の考案によると、ガスホースの位置を位置決めすることができる。
【００１９】
請求項６の考案によると、コンロの下面と左フレーム及び右フレームとの間から外側に噴きこぼれ等が飛び散ることを防止することができ、また、コンロの左右の壁面を伝ってきた水滴等を有効に防汚トレーに導くことができる。
【考案を実施するための最良の形態】
【００２０】
以下、本考案の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００２１】
図１〜図４、図８を参照して、本考案に係る防汚器具１について説明する。このうち、図１は、防汚器具１を前側左斜め上方から見た斜視図である。図２は、防汚器具１を上方から見た図である。図３（ａ）は、最小幅の防汚器具１を説明する正面図である。（ｂ）は、最大幅の防汚器具１を説明する正面図である。（ｃ）は、防汚器具１の右側面図である。図４（ａ）は、防汚トレー１８を上方から見た斜視図である。（ｂ）は、防汚トレー１８を下方から見た斜視図である。（ｃ）は、防汚トレー１８の一部を拡大して示す斜視図である。図８（ａ），（ｂ）は、防汚器具１の使い方を説明する図である。
【００２２】
図１に示すように、防汚器具１は、左フレーム１１と、右フレーム１２と、前フレーム１３と、後フレーム１４と、可動フレーム１５と、左ガイド１６と、右ガイド１７と、防汚トレー１８とを備えている。
【００２３】
このうち、左フレーム１１は、板状のアングルによって形成されていて、その長手方向を前後方向に向けた状態で、左側に配置されている。一方、右フレーム１２は、同じく板状のアングルによって形成されていて、その長手方向を前後方向に向けた状態で、右側に配置されている。左フレーム１１及び右フレーム１２は、それぞれの外側の端部に、上方に向けて開口された断面「コ」字形の前後方向に長いスリット１１ａ，１２ａが形成されている。これらスリット１１ａ，１２ａには、図１に示すように、帯状の水漏れ防止板２０（ただし、右側の水漏れ防止板２０のみ図示）が上方の開口部から着脱自在に装着されている。
【００２４】
前フレーム１３は、それぞれの長手方向を左右方向に向けた４つのアングル、すなわち左アングル１３ａ、右アングル１３ｂ、左固定用アングル１３ｃ、右固定用アングル１３ｄを左右方向に組み合わせて構成されている。左アングル１３ａは、前後方向の両端部にそれぞれ下方に向けて屈曲された屈曲部を有しており、左端部には、左固定用アングル１３ｃがねじによって固定されている。左固定用アングル１３ｃは、その左端部が上述の左フレーム１１の前端部に、ねじによって固定されている。左固定用アングル１３ｃは、前後方向の両端部にそれぞれ上方に向けて屈曲された屈曲部１３ｅを有しており、これら屈曲部１３ｅの間の凹部１３ｆに、コンロＣ（図６（ｂ），（ｃ）参照）の４本の脚部Ｇのうちの前側でかつ左側の脚部Ｇが載せられるようになっている。右アングル１３ｂは、前後方向の両端部にそれぞれ下方に向けて屈曲された屈曲部を有しており、右端部には、右固定用アングル１３ｄがねじによって固定されている。右固定用アングル１３ｄは、その右端部が上述の右フレーム１２の前端部に、ねじによって固定されている。右固定用アングル１３ｄは、前後方向の両端部にそれぞれ上方に向けて屈曲された屈曲部１３ｅを有しており、これら屈曲部１３ｅの間に、コンロＣの４本の脚部Ｇのうちの前側でかつ右側の脚部Ｇが載せられるようになっている。
【００２５】
前フレーム１３の左アングル１３ａと右アングル１３ｂとは、伸縮自在に連結されている。左アングル１３ａ及び右アングル１３ｂは、左右方向の直交する平面で切った断面形状が、右アングル１３ｂよりも左アングル１３ａの方が少し大きくなるように形成されていて、右アングル１３ｂの左端側が左アングル１３ａの右端側に入り込むように構成されている。右アングル１３ｂの左端側には、左右方向に長い長孔１３ｇが穿設され、一方、左アングル１３ａの右端側には、この長孔１３ｇの対応する位置に丸孔（不図示）が穿設されている。これら長孔１３ｇ及び丸孔には、ボルトが貫通されていて、このボルトには、右アングル１３ｂの裏面側にナット（不図示）が螺合されている。このナットを緩め、左アングル１３ａ及び右アングル１３ｂを左右方向に引き延ばしてナットを締めることで、前フレーム１３の左右方向の幅（左フレーム１１と右フレーム１２との距離）を広げることができる。反対に、ナットを緩め、左アングル１３ａ及び右アングル１３ｂを左右方向に短縮してナットを締めることで、前フレーム１３の左右方向の幅（左フレーム１１と右フレーム１２との距離）を狭めることができる。ここで、上述の右アングル１３ｂの長孔１３ｇの左右方向の長さ及び左右方向の穿設位置を適宜に設定することにより、図３（ａ）に示す、防汚器具１の左右方向の幅の最小値Ｗｍｉｎ、及び図３（ｂ）に示す、防汚器具１の左右方向の幅の最大値Ｗｍａｘを規定することが可能となる。つまり長孔１３ｇの左右方向の右端部にボルトが当接することで、最小値Ｗｍｉｎを設定し、一方、長孔１３ｇの左右方向の左端部にボルトが当接することで、最大値Ｗｍａｘを設定することができる。なお、後述する後フレーム１４及び可動フレーム１５を左右方向に伸縮するための構成も、上述の前フレーム１３を伸縮するための構成と同様の構成を採用している。
【００２６】
後フレーム１４は、それぞれの長手方向を左右方向に向けた２つのアングル、すなわち左アングル１４ａ、右アングル１４ｂを左右方向に組み合わせて構成されている。左アングル１４ａは、前後方向の両端部にそれぞれ下方に向けて屈曲された屈曲部を有しており、左端部は、ねじによって前述の左フレーム１１の後端側に固定されている。左アングル１４ａの前側及び後側には、左右方向に長いホースホルダ２１が突設されている。これらホースホルダ２１の間にコンロＣにガスを供給するためのガスホース（不図示）を配置するようになっている。つまり、ホースホルダ２１は、ガスホースの位置を規制するものである。右アングル１４ｂは、前後方向の両端部にそれぞれ下方に向けて屈曲された屈曲部を有しており、右端部は、ねじによって前述の右フレーム１２の後端側に固定されている。左アングル１４ａの前側及び後側には、左右方向に長いホースホルダ２１が突設されている。これらホースホルダ２１の間にコンロＣにガスを供給するためのガスホース（不図示）を配置するようになっている。つまり、ホースホルダ２１は、ガスホースの位置を規制するものである。
【００２７】
後フレーム１４の左アングル１４ａと右アングル１４ｂとは、伸縮自在に連結されている。左アングル１４ａ及び右アングル１４ｂは、左右方向の直交する平面で切った断面形状が、右アングル１４ｂよりも左アングル１４ａの方が少し大きくなるように形成されていて、右アングル１４ｂの左端側が左アングル１４ａの右端側に入り込むように構成されている。なお、後フレーム１４を左右方向に伸縮するための構成は、上述の前フレーム１３と同様であるので、その説明は省略する。
【００２８】
可動フレーム１５は、それぞれの長手方向を左右方向に向けた４つのアングル、すなわち左アングル１５ａ、右アングル１５ｂ、左移動用アングル１５ｃ、右移動用アングル１５ｄを左右方向に組み合わせて構成されている。なお、これらはこの順に、上述の前フレーム１３の左アングル１３ａ、右アングル１３ｂ、左固定用アングル１３ｃ、右固定用アングル１３ｄと同形に形成されている。すなわち、左アングル１５ａは、前後方向の両端部にそれぞれ下方に向けて屈曲された屈曲部を有しており、左端部には、左移動用アングル１５ｃがねじによって固定されている。左移動用アングル１５ｃは、その左端部を上述の左フレーム１１の上面に固定されることなく、載せられている。左移動用アングル１５ｃは、前後方向の両端部にそれぞれ上方に向けて屈曲された屈曲部１５ｅを有しており、これら屈曲部１５ｅの間の凹部１５ｆに、コンロＣの４本の脚部のうちの後側でかつ左側の脚部Ｇが載せられるようになっている。右アングル１５ｂは、前後方向の両端部にそれぞれ下方に向けて屈曲された屈曲部を有しており、右端部には、右移動用アングル１５ｄがねじによって固定されている。右移動用アングル１５ｄは、その右端部が上述の右フレーム１２の上面に固定されることなく載せられている。右移動用アングル１５ｄは、前後方向の両端部にそれぞれ上方に向けて屈曲された屈曲部１５ｅを有しており、これら屈曲部１５ｅの間に、コンロＣの４本の脚部のうちの後側でかつ右側の脚部Ｇが載せられるようになっている。なお、可動フレーム１５を左右方向に伸縮するための構成は、上述の前フレーム１３と同様であるので、その説明は省略する。
【００２９】
上述のように、可動フレーム１５は、その左端部に位置する左移動用アングル１５ｃ及び右端部に位置する右移動用アングル１５ｄがそれぞれ左フレーム１１及び右フレーム１２の上面に乗せられているだけなので、コンロＣの前側の脚部と後側の脚部との間隔に合わせて、自由に前後方向に移動させることができる。
【００３０】
上述した防汚器具１は、前フレーム１３と後フレーム１４と左フレーム１１と右フレーム１２とによってほぼ長方形の額縁状の閉ループを構成する。そして、前フレーム１３、後フレーム１４が左右方向に伸縮可能であることに基づき、全体の幅を最小値Ｗｍｉｎ（例えば、５９５ｍｍ）と最大値Ｗｍａｘ（例えば、６７０ｍｍ）との間で調整することが可能となる。また、可動フレーム１５は、左右方向に伸縮可能で、かつ前後方向に移動することができる。したがって、異なる大きさのコンロＣの４つの脚部Ｇを、前フレーム１３の左固定用アングル１３ｃ及び右固定用アングル１３ｄ、可動フレーム１５の左移動用アングル１５ｃ及び右移動用アングル１５ｄによって下方から支持することができる。
【００３１】
左ガイド１６は、図３（ａ），（ｂ）に示すように左フレーム１１の左端部から下方に延びる垂直部１６ａとその下端から内側に延びる支持部１６ｂとを有しており、図１に示すように、左フレーム１１のほぼ全長にわたって配設されている。支持部１６ｂの下面における前端近傍と後端近傍とには、それぞれすべり止め１６ｃが配設されている。また支持部１６ｂの内側の端部は、上方に折曲されて防汚トレー１８用のレール１６ｄを構成している。このレール１６ｄは、後述の防汚トレー１８が支持部１６ｂから外れることを防止するとともに、防汚トレー１８を前後方向にスライドさせる際の大まかなガイドとなるものである。右ガイド１７は、図３（ａ），（ｂ）に示すように右フレーム１２の右端部から下方に延びる垂直部１７ａとその下端から内側に延びる支持部１７ｂとを有しており、図３（ｃ）に示すように、右フレーム１２のほぼ全長にわたって配設されている。支持部１７ｂの下面における前端近傍と後端近傍とには、それぞれすべり止め１７ｃが配設されている。また支持部１７ｂの内側の端部は、上方に折曲されてレール１７ｄを構成している。このレール１７ｄは、後述の防汚トレー１８が支持部１７ｂから外れることを防止するとともに、防汚トレー１８を前後方向にスライドさせる際の大まかなガイドとなるものである。上述の左ガイド１６の支持部１６ｂ及び右ガイド１７の支持部１７ｂの左右方向の幅は、図３（ｂ）に示すように、防汚器具１の幅が最大値Ｗｍａｘとなった場合でも、後述する防汚トレー１８の左端部及び右端部がそれぞれレール１６ｄ，１７ｄから外れないように設定されている。なお、図３（ａ）に示す、防汚器具１の高さＨは、防汚器具１の強度や機能を損なわない限り、低いほうが好ましい。
【００３２】
防汚トレー１８は、図４（ａ），（ｂ）に示すように、ほぼ長方形の板状に形成されたトレー本体１８ａと、このトレー本体１８ａの前端に立設された蓋部１８ｂと、この蓋部１８ｂに固定された把手１８ｃとを有している。トレー本体１８ａの左端及び右端及び後端は、上方に折曲されて土手部１８ｄを構成している。蓋部１８ｂは、左右方向に長い板状に形成されていて、トレー本体１８ａの左右の全幅にわたって配設されている。この蓋部１８ｂは、上述のトレー本体１８ａの土手部１８ｄとともに、トレー本体１８ａの上面を四方から囲むことで、トレー本体１８ａの上面に落下した液体が防汚トレー１８の外に流れ出すことを防止している。さらに、蓋部１８ｂは、その上端が後述するように、防汚トレー１８を上述の左ガイド１６及び右ガイド１７に沿って後方に押し込んだときに、前フレーム１３に当接して、いわゆるストッパとして作用する。蓋部１８ｂの左右方向の中央における上端には、板状の把手１８ｃが固定されている。把手１８ｃの前端には、下方に屈曲した指かけ１８ｈを有する
【００３３】
図４（ｂ）に示すように、トレー本体１８ａの裏における左端及び右端には、前後方向に長いレールの脱落防止部材１８ｅが配設されている。レール部材１８ｅは、左右幅がＷ２に設定されていて、左右方向のピッチＷ３で、前後方向に長い凸条１８ｆが突設されることで、複数の凹溝１８ｇが形成されている。防汚器具１の左右幅を変化させた場合であっても、上述の左ガイド１６及び右ガイド１７の支持部１６ｂ，１７ｂのレール１６ｄ，１７ｄが、これらの凹溝１８ｇのいずれかに位置することで、防汚トレー１８が支持部１６ｂ，１７ｂから脱落することを防止している。防汚トレー１８は、図４（ａ）に示すように、その前後方向の長さＬ１及び左右方向の幅Ｗ１が、サイズの大きいコンロＣを防汚器具１に載せた場合でも、そのコンロＣの下方全体をほぼカバーする程度の長さ及び幅に設定されている。また、厚さＴは、十分な強度を有する限り、薄いほうが好ましい。
【００３４】
ここで、上述の防汚器具１の構成要素となる各部材の材質としては、例えば、左フレーム１１、右フレーム１２、前フレーム１３、後フレーム１４、可動フレーム１５、左ガイド１６、右ガイド１７、トレー本体１８ａ、把手１８ｃについては、アルミニウム板を使用することができる。また、蓋部１８ｂは木材、脱落防止部材１８ｅは、合成樹脂板とすることができる。なお、材質については、これらは一例であって、これらの限定されるものではない。
【００３５】
上述構成の防汚器具１は、図８（ａ）に示す、左右幅の狭いコンロ台Ｄ１の載置面Ｄａ（例えば、左右幅が６０ｃｍ）に載置して、また、図８（ｂ）に示す、図８（ｂ）に示す、左右幅の広いコンロ台Ｄ２の載置面Ｄａ（例えば、左右幅が７０ｃｍ）に載置して使用することができる。なお、図４（ａ）においては、床面Ｆ上の壁面Ａ２側にコンロ台Ｄ１を設置し、その右側に、調理面Ｅａを有する調理台Ｅを隣接させて設置した例を示している。また、図４（ｂ）においては、床面Ｆ上の壁面Ａ３側に、調理面Ｅａを有する調理台Ｅを設置し、その左側に、コンロ台Ｄ２を隣接させて設置した例を示している。
【００３６】
本実施の形態においては、防汚器具１を、左右幅の狭いコンロ台Ｄ１の載置面Ｄａに載せて使用する場合には、防汚器具１の左右幅を最小値Ｗｍｉｎに近い、コンロ台Ｄ１の左右幅と同じにして使用する。一方、防汚器具１を、左右幅の広いコンロ台Ｄ２の載置面Ｄａに載せて使用する場合には、防汚器具１の左右幅を、最大値Ｗｍａｘにして使用する。このように、本考案に係る防汚器具１は、左右幅を短縮することで、幅の狭いコンロ台Ｄ１の載置面Ｄａに載せて、載置面Ｄａのほぼ全体を覆うことができる。また、幅の広いコンロ台Ｄ２に対しては、左右幅を伸長することで、載置面Ｄａのほぼ全体を覆うことができる。したがって、いずれの場合も、噴きこぼれ等を防汚トレー１８で受けることができ、噴きこぼれ等によって載置面Ｄａが汚染されることはない。さらに、防汚トレー１８の着脱が容易であるので、防汚トレー１８が噴きこぼれ等によって汚れた場合には、この防汚トレー１８を防汚器具１から引き抜いて簡単に清掃することができる。
＜実施形態２＞
【００３７】
図５，図６，図７を参照して、実施形態２を説明する。このうち、図５は、バックパネル２２を説明する斜視図である。図６は（ａ），（ｂ），（ｃ）は、バックパネル２２の取り付けを説明する図である。図７は、（ａ），（ｂ）はバックパネル２２の伸縮を説明する図である。
【００３８】
本実施形態では、上述の実施形態１の防汚器具１の後端近傍に、バックパネル２２を設けたものである。バックパネル２２は、上述の左フレーム１１及び右フレーム１２の後端部にそれぞれねじ止めされた下ステイ２２ａと、これら下ステイ２２ａにそれぞれねじ止めされた上ステイ２２ｂと、これら上ステイ２２ｂによって支持された左パネル２２ｃ、右パネル２２ｄとを有している。
【００３９】
図６（ａ）に示すように、下ステイ２２ａは、ほぼ「Ｌ」字形に形成されていて、水平部には、ねじによって左フレーム１１及び右フレーム１２の後端に固定するためのねじ孔２２ｅが穿設されている。一方、下ステイ２２ａの垂直部には、上下方向の位置が異なる３個のねじ孔２２ｆが穿設されている。これに対し、上ステイ２２ｂは、垂直部と水平部とを有していて、垂直部の下端には、ねじ孔２２ｉが穿設されている。また、垂直部の左右両端には、下ステイ２２ａの垂直部が係合される切り起し２２ｊが設けてある。また、上ステイ２２ｂの水平部の上面には、シート状のマグネット２２ｋが取り付けられている。
【００４０】
図７（ａ）に示すように、左パネル２２ｃには、その前端に下向きの折曲部２２ｍが、また後端に上向きの折曲部２２ｎが形成されている。右パネル２２ｄには、その前端に下向きの折曲部２２ｏが、また後端に上向きの折曲部２２ｐが形成されている。これら折曲部２２ｍ，２２ｎ，２２ｏ，２２ｐのうち、折曲部２２ｍには、裏面側に折り返す折り返し部が設けてあり、折曲部２２ｐには、前面側に折り返す折返し部が設けてある。そして、左パネル２２ｃの折曲部２２ｍの折返し部に、右パネル２２ｄの折曲部２２ｏを右側から挿入すると同時に、右パネル２２ｄの折曲部２２ｐの折返し部に、左パネル２２ｃの折曲部２２ｎを左側から挿入することにより、左パネル２２ｃと右パネル２２ｄとを伸縮自在に係合させることができる。左パネル２２ｃ及び右パネル２２ｄは、薄い鉄板によって形成されている。
【００４１】
上述のバックパネル２２は、以下のようにして組み立てる。まず、２個の下ステイ２２ａのそれぞれのねじ孔２２ｅにねじを通し、左フレーム１１及び右フレーム１２の後端に固定する。次に、２個の上ステイ２２ｂのそれぞれのねじ孔２２ｉにボルト２２ｈを通し、このボルト２２ｈをさらに下ステイ２２ａの垂直部の３個のねじ孔２２ｆのいずれかに貫通させて蝶ナット２２ｇを締める。次に、左右方向の長さを調整した左パネル２２ｃ及び右パネル２２ｄを、上ステイ２２ｃのマグネット２２ｋによって固定する。左パネル２２ｃ及び右パネル２２ｄの高さは、ボルト２２ｉを貫通させるねじ孔２２ｆの選択のしかたによって３段階に調整することができる。図６（ｂ）は、３個のねじ孔２２ｆのうちの一番下のねじ孔２２ｆを利用した例を示し、また図６（ｃ）は中間のねじ孔２２ｆを利用した例を示している。左パネル２２ｃ及び右パネル２２ｄは、高さ調整することで、例えば、コンロＣの上面とほぼ同じ高さにするとよい。これにより、左パネル２２ｃ，２２ｄは、コンロＣと壁面Ａ１との間を埋めて、この間に異物が落下するのを防止するとともに、コンロＣの上面の延長としても活用することができる。左パネル２２ｃ及び右パネル２２ｄは、上述のようにマグネット２２ｋによって固定されているので、その着脱が容易である。
【図面の簡単な説明】
【００４２】
【図１】防汚器具を前側左斜め上方から見た斜視図である。
【図２】防汚器具を上方から見た図である。
【図３】（ａ）は、最小幅の防汚器具を説明する正面図であり、（ｂ）は、最大幅の防汚器具を説明する正面図であり、（ｃ）は、防汚器具の右側面図である。
【図４】（ａ）は、防汚トレーを上方から見た斜視図である。（ｂ）は、防汚トレーを下方から見た斜視図である。（ｃ）は、防汚トレーの一部を拡大して示す斜視図である。
【図５】バックパネルを説明する斜視図である。
【図６】（ａ），（ｂ），（ｃ）は、バックパネルの取り付けを説明する図である。
【図７】（ａ），（ｂ）はバックパネルの伸縮を説明する図である。
【図８】（ａ），（ｂ）は、防汚器具１使い方を説明する図である。
【符号の説明】
【００４３】
１……防汚器具、１１……左フレーム、１２……右フレーム、１３……前フレーム、１４……後フレーム、１５……可動フレーム、１６……左ガイド、１６ｂ，１７ｂ……支持部、１６ｄ，１７ｄ……レール、１７……右ガイド、１７ｂ……支持部、１８……防汚トレー、１８ｅ……レール部材、２０……水漏れ防止板、２２……バックパネル
Ａ１……壁面、
Ｃ……コンロ、Ｄ１，Ｄ２……コンロ台、Ｄａ……載置面
【図１】
0003128662.tif 000003
【図２】
0003128662.tif 000004
【図３】
0003128662.tif 000005
【図４】
0003128662.tif 000006
【図５】
0003128662.tif 000007
【図６】
0003128662.tif 000008
【図７】
0003128662.tif 000009
【図８】
0003128662.tif 000010